(57)【要約】      （修正有）【課題】監視カメラの映像データを記録するレコーダーボックスから、映像データを記録したハードディスクを筐体から分離することなく簡易に取り出せるようにしたレコーダーボックスを提供する。【解決手段】監視カメラ用レコーダーボックスＸとして、監視カメラの映像をハードディスク３１ａに記録するレコーダーが収納される、前面が開放した略直方体の箱体からなる筐体１０と、筐体の前面開口の側縁で回動可能に固定される当該前面開口を塞ぐ片開き戸２０と、下方又は側方から前記ハードディスク３１ａが抜き取ることができるように、前記片開き戸の裏面に固定される前記ハードディスク３１ａを保持するハードディスクケース３１とから構成する。【選択図】図２
0003177789.tif 000002
【実用新案登録請求の範囲】
【請求項１】
監視カメラの映像をハードディスクに記録するレコーダーが収納される、前面が開放した略直方体の箱体からなる筐体と、
筐体の前面開口の側縁で回動可能に固定される当該前面開口を塞ぐ片開き戸と、
下方又は側方から前記ハードディスクが抜き取ることができるように、前記片開き戸の裏面に固定される前記ハードディスクを保持するハードディスクケースと
を有する監視カメラ用レコーダーボックス。
【考案の詳細な説明】
【技術分野】
【０００１】
本考案は監視カメラが撮像した映像を記録する機器を収納するレコーダーボックスに関する。
【背景技術】
【０００２】
近年、建物内や街角などに設置される監視カメラでは、監視カメラで長時間に渡って撮像した映像をハードディスクなどに記録する方式が多く採用されている。映像を記録するレコーダーは筐体に収められて監視カメラの近くに設置される。図４にレコーダーボックスBと監視カメラCの設置例を示す。監視カメラCは通常高い位置に設置され、レコーダーボックスBも監視カメラC近くのやや高い位置に設置されることが多い。
【考案の概要】
【考案が解決しようとする課題】
【０００３】
ところで、ハードディスクには容量に限りがあるので、映像を残すためには、定期的に映像データを定期的に他の記録媒体に移して保管する必要がある。このため、従来は、担当者が定期的にレコーダーに設けられたUSBポートにUSBメモリを挿して、当該USBメモリに映像データ移すかレコーダーに設けられたＬＡＮ端子からＰＣにデータを移すという作業を行なっていた。
しかし、数ギガバイトのデータを移すためには数十分の時間を必要とする一方で、担当者はUSBメモリやＬＡＮケーブルとＰＣを接続したまま現場を離れるわけにもいかないので、映像データをUSBメモリに移す担当者の作業効率は極めて悪いという問題があった。
これに対して、レコーダーからハードディスクを直接取り出し、交換するという方法が考えられるが、ハードディスクケースは、前面が開放した箱状の筐体の底に固定されているため、ハードディスクを取り出すためにはハードディスクケースを一度筐体から取り出す必要があり簡単に行なうことはできなかった。
本考案は、このような問題に鑑みて、監視カメラの映像データを記録するレコーダーボックスから、映像データを記録したハードディスクを筐体から分離することなく簡易に取り出せるようにすることを課題とする。
【課題を解決するための手段】
【０００４】
上記課題を解決するために、本考案は次のような構成を有する。即ち、本考案は、監視カメラの映像をハードディスクに記録するレコーダーが収納される、前面が開放した略直方体の箱体からなる筐体と、筐体の前面開口の側縁で回動可能に固定される当該前面開口を塞ぐ片開き戸と、下方又は側方から前記ハードディスクが抜き取ることができるように、前記片開き戸の裏面に固定される前記ハードディスクを保持するハードディスクケースとを有する監視カメラ用レコーダーボックスである。
【考案の効果】
【０００５】
上記のような構成により本考案は、筐体の片開き戸を開ければハードディスクケースが片開き戸と一緒に表出し、下方又は側方からハードディスクを取り出すことができるので、簡易にハードディスクの交換をすることができる。
【図面の簡単な説明】
【０００６】
【図１】実施形態に係る監視カメラ用レコーダーボックスの斜視図である。
【図２】実施形態に係る監視カメラ用レコーダーボックスの片開き戸を開いた状態を示す斜視図である。
【図３】実施形態に係る監視カメラ用レコーダーボックスのハードディスクを抜き出した状態を示す斜視図である。
【図４】監視カメラとレコーダーボックスの設置例を示す斜視図である。
【考案を実施するための形態】
【０００７】
以下、本考案の実施の形態について、図面を参照しながら説明する。
図１に実施形態に係る監視カメラ用レコーダーボックスＸの斜視図を示し、図２に監視カメラ用レコーダーボックスＸの片開き戸を開いた状態の斜視図を示す。
監視カメラ用レコーダーボックスＸは、筐体１０、片開き戸２０、レコーダー機器３０から構成される。
筐体１０は金属の前面が開放した箱体で、ケーブルを引き出す穴がいくつか設けられている。片開き戸２０は、筐体１０の前面開口の一側縁に蝶番で回動可能に固定された金属の扉である。片開き戸２０には錠２１が設けられ、筐体１０の開口近傍の縁部に係合することで閉じた状態に保持できる。レコーダー機器３０は筐体１０内部に収納される監視カメラからの信号を受け付けて映像データとして記憶するものであり、制御機器、ハードディスク、ハードディスクケース、通信機器などから構成される。
レコーダー機器３０を構成するハードディスクケース３１は映像データを記憶するハードディスク３１ａを保持するもので、図２に示すようにハードディスク３１ａが下方から取り出し可能なように、片開き戸２０の裏面に固定されている。ハードディスクケース３０はここではハードディスク３１ａが２つ保持可能なものを用いている。
【０００８】
次に、以上のような構成を有する監視カメラ用レコーダーボックスＸの使用方法について説明する。監視カメラレコーダーボックスＸは図４のように監視カメラＣに近接して設置され、内部のレコーダー機器３０と監視カメラＣとが接続されて、監視カメラＣが撮像した映像データがハードディスク３１ａに自動的に記録されていく。
監視カメラ用レコーダーＸの管理者は、ハードディスク３１ａにある程度の量の映像データが記録される時間ごとに監視カメラ用レコーダーＸの設置場所に行き、鍵で錠２１を開け、片開き戸２０を開く、これにより図２のような状態となるので、ハードディスク３１ａを図３に示すように下方へ引き抜き回収する。その後、用意していたハードディスク３１ａをハードディスクケース３１の開いた場所に挿入して固定する。その後、片開き戸２０を閉じて錠２１を閉める。以上のような手順の作業によれば監視カメラレコーダーボックスＸが設置されている現場での作業は簡易かつ短時間で完了する。回収したハードディスクは、別の場所に設置した同型のレコーダー機器やコンピューターに接続して、別の大容量のハードディスク、光学式記録媒体などに記憶されている映像データをコピーする。この際、ＵＳＢ接続やＬＡＮ接続に比べると短時間でデータ移動が可能となり、安全な建物内であるので、コピー中に作業者が立ち会う必要はない。コピーが完了したハードディスクは再び監視カメラ用レコーダーボックスＸの交換用ハードディスクとして再利用することができる。
【０００９】
なお、上記実施形態ではハードディスク３１ａを下方から取り出すようにハードディスクケース３１を片開き戸２０に固定したが、側方から取り出せるような向きにハードディスクケース３１を固定してもよい。
また、上記実施形態では、ハードディスク３１ａの端面側がハードディスクケース３１の外表面に表出するようなハードディスクケース３１を例示したが、ハードディスクケース３１の中にハードディスク３１ａが保持され、上蓋を開いてハードディスク３１ａを取り出すようなハードディスクケースを採用することもできる。この場合でも上蓋が開いた後に、ハードディスク３１は下方または側方から取り出せるようにハードディスクケース３１を片開き戸２０の裏面に固定すればハードディスクを容易に取り出すことができる。
【符号の説明】
【００１０】
Ｘ、Ｂ  監視カメラ用レコーダーボックス
C  監視カメラ
１０  筐体
２０  片開き戸
３０  レコーダー機器
３１  ハードディスクケース
３１ａ  ハードディスク
【図１】
0003177789.tif 000003
【図２】
0003177789.tif 000004
【図３】
0003177789.tif 000005
【図４】
0003177789.tif 000006